(57)【要約】      （修正有）【課題】使いやすく低コストで大量製造可能な紙おむつ（特に粘着構造）を提供する。【解決手段】紙おむつの側翼部８の上にそれぞれフック９が設けられ、バックシート５は漏れ防止層と非織物層とを組み合わせてなり、フック９とバックシート５を張り合わせるときの粘着力は、１８０度の剥離強度が１００〜７００ｇ／ｉｎｃｈの間で、１８０度せんだん応力が１０００ｇ／ｉｎｃｈ以上であり、このようなフック９とバックシート５の組合せにより、使用者が好きなように、フック９を、非織物層の表面に張り合わせて、紙おむつの締め具合を簡単に調整できるようにした。【選択図】図１
0003171831.tif 000002
【実用新案登録請求の範囲】
【請求項１】
（ａ）前側の腰回りに縦方向に装着される前腰回域（１）、前記前腰回域（１）と対向して設けられ、後側の腰回りに縦方向に装着される後腰回域（２）、及び前記前腰回域（１）と前記後腰回域（２）の間に設けられ、股下に横方向に装着される股下域（３）を備え、
（ｂ）肌に当接される片側一方の面に透液性表面シート（４）が設けられ、肌に当接しない片側他方の面に不透液性バックシート（５）が設けられ、
（ｃ）前記表面シート（４）と前記バックシート（５）の間に、前記前腰回域（１）、前記後腰回域（２）の間に伸ばされる吸液性コア（６）が設けられ、前記吸液性コア（６）の両端縁の縦方向外方に横方向に伸ばされる一対の後翼部（７）が設けられるとともに、前記吸液性コア（６）の両側縁の横方向外方に縦方向に伸ばされる側翼部（８）が設けられ、
（ｄ）前記側翼部（８）の上にそれぞれ、横方向に伸ばされるフック（９）が設けられ、
（ｅ）前記バックシート（５）は上層の漏れ防止層（５１）及び底層の非織物層（５２）を表面の一部または全部の結合により組み合わせてなり、
（ｆ）前記フック（９）と前記バックシート（５）の張り合わせるときの粘着力は、１８０度の剥離強度が１００〜７００ｇ／ｉｎｃｈの間で、１８０度せんだん応力が１０００ｇ／ｉｎｃｈ以上であり、
以上（ａ）〜（ｆ）を備えてなり、
前記フック（９）と前記バックシート（５）の組合せにより、使用者が、好きなように、前記フック（９）を、前記非織物層（５２）の表面に張り合わせて、紙おむつの締め具合を簡単に調整するようにした、
ことを特徴とする紙おむつ。
【請求項２】
バックシート（５）の表面は、起毛面、布面、粗面のいずれかからなることを特徴とする請求項１に記載の紙おむつ。
【請求項３】
非織物層（５２）の表面は熱圧成形による粗面、ホットメルトスプレー塗布成形による粗面、化学薬剤スプレー塗布成形による粗面のいずれかからなることを特徴とする請求項２に記載の紙おむつ。
【請求項４】
非織物層（５２）の表面には複数の立体模様（５２１）が設けられ、前記立体模様（５２１）は、連続的でかつ規則的に、前記非織物層（５２）の表面に設けられることを特徴とする請求項１に記載の紙おむつ。
【請求項５】
非織物層（５２）の表面には複数の立体模様（５２１）が設けられ、前記立体模様（５２１）は、非連続的でかつ不規則に、該非織物層（５２）の表面に設けられることを特徴とする請求項１に記載の紙おむつ。
【請求項６】
非織物層（５２）の表面には複数の立体模様（５２１）が設けられ、前記立体模様（５２１）は花模様（５３）、ドット柄、格子、規則的な縞模様のいずれかからなることを特徴とする請求項１に記載の紙おむつ。
【請求項７】
漏れ防止層（５１）及び／または非織物層（５２）の表面には模様（５４）、対象エリア内模様（５５）のいずれかまたはその組合せからなるものが設けられることを特徴とする請求項１に記載の紙おむつ。
【請求項８】
漏れ防止層（５１）と非織物層（５２）は、弾力性のある材料で作られ、前記漏れ防止層（５１）と前記非織物層（５２）の弾力係数は異なるものであることを特徴とする請求項１に記載の紙おむつ。
【請求項９】
漏れ防止層（５１）は通気性材料の漏れ防止層、非通気性材料の漏れ防止層のいずれかからなることを特徴とする請求項１に記載の紙おむつ。
【請求項１０】
漏れ防止層（５１）は、ポリプロピレン（ＰＰ／Ｐｏｌｙｐｒｏｐｙｌｅｎｅ）からなる漏れ防止層、ポリエチレン（ＰＥ／Ｐｏｌｙｅｔｈｙｌｅｎｅ）からなる漏れ防止層、ポリウレタン（ＰＵ／Ｐｏｌｙｕｒｅｔｈａｎｅ）からなる漏れ防止層、重合体のプラスチック複合材料からなる漏れ防止層のいずれかに成形されることを特徴とする請求項１に記載の紙おむつ。
【考案の詳細な説明】
【技術分野】
【０００１】
本考案は、紙おむつに関し、特に、紙おむつの粘着構造に関する。
【背景技術】
【０００２】
この種のおむつは最初、１９４２年に、スウェーデン人のバアリストアムによって発明された。このおむつは二層式の紙おむつで、外層のプラスチックパンツと、内層の紙性吸収シートとからなるものであったが、このような使い捨ての紙おむつは破れやすく、その破れた屑が赤ちゃんのお尻についたりするので、広く使用されることがなかった。また、一番最初におむつの代替品を試したのは日本人で、第二次世界大戦中は、日本に天然物質が不足していたため、おむつの代替品が求められた。
【０００３】
１９６１年、アメリカの週刊誌＜タイム＞誌で、２０世紀最大の発明品１００個の一つとして紙おむつが選ばれた。アメリカのプロクター・アンド・ギャンブル社が発売したパンパースおむつで、開発部のあるマネージャーが孫のおむつを頻繁に洗うことに飽きて、おむつの代替品として使い捨ておむつを発明しようとしたのがきっかけだと言われている。
【０００４】
紙おむつは、現在、赤ちゃんの腰回りに固定するときに、二つの方法が用いられている。
【０００５】
一つは、粘着テープ［通称、Ｔａｐｅ／ウエストテープ］を用いる方法で、一枚のフィルム［通称、フロンタルテープ／Ｆｒｏｎｔａｌ／対象エリア］が合わせて用いられる。この場合、フィルムは材質がポリプロピレン［ＰＰ］またはポリエチレン［ＰＥ］またはポリエチレンテレフタラート［ＰＥＴ］で、長方形のシート状に形成されて、紙おむつの前方外層の表面に固定される。使用者は、接着剤付きの粘着テープ［Ｔａｐｅ］をポリプロピレン［ＰＰ］フィリムに貼り付けることで、おむつを赤ちゃんの腰回りに固定することができる。この紙おむつは材料コストが低いのが最大なメリットである。
また、このおむつの欠点といえば、使用者の手に多くの水気、ボディパウダー、またはベービーオイルが付いたりすると、これが粘着テープ［Ｔａｐｅ］の表層、またはポリプロピレン［ＰＰ］フィルムの表層に付いて、粘着テープ本来の固定用の機能が大幅に低下し、もしくは固定できなくなるので、このような場合、紙おむつを赤ちゃんの腰回りに固定することができず、廃棄するほかないこと、また、紙おむつの漏れ防止用底層フィルムは、ポリエチレン［ＰＥ／Ｐｏｌｙｅｔｈｙｌｅｎｅ］材のプラスチックフィルムで、使用者が不注意で粘着テープ［Ｔａｐｅ］をポリエチレン［ＰＥ］プラスチックフィルムに貼り付けてしまうと、粘着テープ［Ｔａｐｅ］がポリエチレン［ＰＥ］プラスチックフィルムから剥がせなくなり、力を入れて剥がそうとすると、ポリエチレン［ＰＥ］プラスチックフィルムの表面が破損する恐れがあることなどである。
【０００６】
もう一つは、マジックテープ（登録商標）［ＨＯＯＫ  ＳＹＳＴＥＭ］を使用する方法で、フック［通称、Ｈｏｏｋ／ウエストテープ］と、ポリプロピレン［ＰＰ］またはポリエチレン［ＰＥ］材の起毛面、または網状布面に類似したループ［通称、Ｌｏｏｐ／対象エリア］が合わせて用いられる。この場合の固定原理は、既述の粘着テープと同様で、フック［Ｈｏｏｋ］を同じく布面ループ［Ｌｏｏｐ］の小さなリエアに粘着、固定するものである。このおむつのメリットは、使用者の手に多くの水気や、ボディパウダーまたはベービーオイルが付着しても、固定機能に影響しないことである。
このおむつの欠点は、材料コストと製造コストが既述の粘着テープよりも高いことである。
【０００７】
この後者の方法は、前者の方法での欠点を改善し、より使用者の使用習慣に適合し、利便性もよいが、コストが高いことから、前者の方法、すなわち粘着テープ［Ｔａｐｅ］とポリプロピレン［ＰＰ］フィルム［Ｆｒｏｎｔａｌ］の組合せを完全に代替して普及するまでには至っていない。
【考案の概要】
【考案が解決しようとする課題】
【０００８】
このようなことに鑑み、これら二つの方法の長所を取り入れて、紙おむつをより使いやすくすること、また、紙おむつは、使い捨て品なので、材料の使用量を削減してコストを削減すること、さらに、生産時の良品率を大幅に高め、限られた地球資源を有効に利用すること、しかも大量生産を可能にすることが、本考案の解決しようとする主な課題である。
【０００９】
そこで、本考案は、使いやすく、低コストで、大量製造可能な紙おむつ、特にその粘着構造を提供すること、を目的とする。
【課題を解決するための手段】
【００１０】
上記の目的を達成するために、本考案は、
縦方向にある前腰回域（１）、縦方向にあり、該前腰回域（１）と対向して設けられた後腰回域（２）、及び横方向にあり、該前腰回域（１）と後腰回域（２）の間に設けられた股下域（３）を備えてなる該紙おむつ（１００）であり、
該紙おむつ（１００）の肌当接面の片側に透液性表面シート（４）、該紙おむつ（１００）の非肌当接面の片側に不透液性バックシート（５）が設けられ、そして、該表面シート（４）とバックシート（５）の間には、該前、後腰回域（１）、（２）の間に伸ばされている吸液性コア（６）が設けられ、該吸液性コア（６）の両端縁の縦方向外方にまた、横方向に伸ばされている一ペアの後翼部（７）が設けられ、吸液性コア（６）の両側縁の横方向外方にも、縦方向に伸ばされている側翼部（８）が設けられており、
該側翼部（８）の上にそれぞれ、横方向に伸ばされているフック（９）が設けられ、  
該バックシート（５）は、上層の漏れ防止層（５１）及び底層の非織物層（５２）を、表面の一部または全部の結合により組み合わせてなり、
また、該フック（９）とバックシート（５）を張り合わせるときの粘着力に関して、１８０度の剥離強度は１００〜７００ｇ／ｉｎｃｈの間で、１８０度せんだん応力は１０００ｇ／ｉｎｃｈ以上であり、
該フック（９）とバックシート（５）の組合せにより、使用者が好きなように、該フック（９）を、該非織物層（５２）の表面に張り合わせて、簡単に該紙おむつ（１００）の締め具合を調整できるように設けられている、
ことを特徴とする。
【００１１】
本考案はまた、次のような構成を備えることが好ましい。
（ａ）該バックシート（５）の表面は次の、起毛面、布面、粗面のいずれかの一つに該当する。
（ｂ）該非織物層（５２）の表面は次の、熱圧成形による粗面、ホットメルトスプレー塗布成形による粗面、化学薬剤スプレー塗布成形による粗面のいずれかの一つに該当する。
（ｃ）該非織物層（５２）の表面には、複数の立体模様（５２１）が設けられ、該立体模様（５２１）は、連続的でかつ規則的に、該非織物層（５２）の表面に設けられている。
（ｄ）該立体模様（５２１）は、非連続的でかつ不規則に、該非織物層（５２）の表面に設けられている。
（ｅ）該立体模様（５２１）は次の、花模様（５３）、ドット柄、格子、規則的な縞模様のいずれかの一つに該当する。
（ｆ）該漏れ防止層（５１）及び／または非織物層（５２）の表面には次の、模様（５４）、対象エリア内模様（５５）のいずれかまたはその組合せに該当するものが設けられている。
（ｇ）該漏れ防止層（５１）と非織物層（５２）は、弾力性のある材料で作られ、
該漏れ防止層（５１）と非織物層（５２）の弾力係数は、異なるものである。
（ｈ）該漏れ防止層（５１）は通気性により、次の通気性材料の漏れ防止層、非通気性材料的漏れ防止層のいずれかに該当する。
（ｉ）該漏れ防止層（５１）は次の、ポリプロピレン（ＰＰ／Ｐｏｌｙｐｒｏｐｙｌｅｎｅ）漏れ防止層、ポリエチレン（ＰＥ／Ｐｏｌｙｅｔｈｙｌｅｎｅ）漏れ防止層、ポリウレタン（ＰＵ／Ｐｏｌｙｕｒｅｔｈａｎｅ）漏れ防止層、重合体のプラスチック複合材料漏れ防止層のいずれかの一つに該当して成形されている。
【考案の効果】
【００１２】
本考案の紙おむつは上記の構成により次のような効果を奏する。
１．この紙おむつでは、現在、市場に出回りまたは成熟する非織物層（５２）［非織布］材を基礎材として、バックシート（５）の加工と処理を行うことで、経済的であり、材料の過量な使用を解決でき、省エネ効果を実現することができる。
２．この紙おむつでは、非織物層（５２）それ自体の材料強度は漏れ防止層（５１）を結合して行われ、非織物層（５２）の物理的性質は、ループ［Ｌｏｏｐ］の機能を使わずに、ループ［Ｌｏｏｐ］を代替するので、模様入りの加工や補強を行うことで、バックシート（５）の強度を更に高めることができる。
３．この紙おむつでは、漏れ防止層（５１）と非織物層（５２）の組合せにより、紙おむつを製造するための工場での製造コストが削減可能で、このような組合せを利用して、ループ［Ｌｏｏｐ］を全く不要にすることができる。
４．この紙おむつでは、漏れ防止層（５１）と非織物層（５２）の組合せにしたことにより、紙おむつ工場がこの組合せを利用すれば、紙おむつ不良品の発生を完全に解決することができ、よりよい良品率を得ることができる。また、ループ［Ｌｏｏｐ］を紙おむつの上に貼り付けるときに、一般的に、位置ずれ、粘着不可能、位置間違い、または過量な粘着剤の使用などの問題が起こるが、この紙おむつの場合、ループ［Ｌｏｏｐ］を使用しないので、そのような問題が発生せずに済む。
５．この紙おむつは、漏れ防止層（５１）と非織物層（５２）の組合せに、フック（９）を加えたもので、このような新型の紙おむつ（１００）は使用上、より多くの利便性を使用者に与えることができる。特に、従来の紙おむつは、ポリプロピレン［ＰＰ］フィルム［Ｆｒｏｎｔａｌ］の使用の場合でも、またループ［Ｌｏｏｐ］の使用の場合でも、製造元がコストを考慮に入れるため、小面積のループ［Ｌｏｏｐ］材料だけを使用することになり、それによって、使用者が使用のときに、フック［Ｈｏｏｋ］を小面積のループ［Ｌｏｏｐ］エリアに確実に合わせて張り合わせなければならず、確実に固定できない場合や漏れ防止層（５１）が破損する場合があるが、この紙おむつでは、フック（９）とバックシート（５）の組合せにしたことで、ループ［Ｌｏｏｐ］として用いられる面積が大幅に向上し、使用者がいつでも、好きなように、固定位置、締め具合を適当に調整できるので、紙おむつを赤ちゃんの腰回りに心地よく固定することができ、紙おむつ（１００）の腰回り部をより大きく調整することができ、各サイズの紙おむつ（１００）はいずれも、上、下の異なるサイズとして利用でき、全体的な適合性が高まり、有効に利用することができる。
６．この紙おむつでは、漏れ防止層（５１）と非織物層（５２）の組合せにより、材料全体の使用量を削減することができ、環境保全にもよい。一枚の簡単な紙おむつの製造過程において、製品の製造から包装の完了まで、全部で約１４種類の様々な材料を使用して、製造を行い、材料を重ねてから使用可能な製品になるが、このような加工過程では、マシンが高速の製造速度で運転され、現在は、マシンの速度９００ＰＣＳ／毎分の高速時代に入り、今日の中国では、幾つかのマシンは少なくとも、速度３５０〜５００ＰＣＳ／毎分となり、このような高速製造の中で、異種材料を一つにするのは簡単なことではなく、漏れ防止層（５１）と非織物層（５２）の材料を組み合わせたことにより、従来の紙おむつを、一つの材料を使用し、簡単な方法で代替できると同時に、加工を簡単化し、二回の加工過程は不要、ループ［Ｌｏｏｐ］や貼合用接着剤の使用も不要、ミスの発生も避けられるため、生産能力が向上し、不良品も低減でき、材料の使用量も低下し、省エネや環境保全の面でも、従来の紙おむつの場合より更によい。
【図面の簡単な説明】
【００１３】
【図１】本考案の一実施の形態における紙おむつの構成を示す斜視図
【図２】図１の要部拡大断面図
【図３】同紙おむつの使用例を示す斜視図
【考案を実施するための形態】
【００１４】
次に、この考案を実施するための形態について図を用いて説明する。図１は本考案の一実施の形態である紙おむつの斜視図であり、図２は図１の要部拡大断面図である。図３はこの紙おむつの使用例を示している。
【００１５】
図１に示すように、この紙おむつ１００は、赤ちゃんの前側腰回りに縦方向に装着される前腰回域１、この前腰回域１に対向して設けられ、赤ちゃんの後側腰回りに縦方向に装着される後腰回域２、及び前腰回域１と後腰回域２の間に設けられ、赤ちゃんの股下に横方向に装着される股下域３を備えて構成される。
【００１６】
図１および図２に示すように、この紙おむつ１００の肌に当接する片側一方の面に透液性表面シート４が設けられ、肌に当接しない片側他方の面に不透液性バックシート５が設けられる。これら表面シート４とバックシート５の間には、前腰回域１、後腰回域２の間に伸ばされる吸液性コア６が設けられ、この吸液性コア６の両端縁の縦方向外方に横方向に伸ばされる一対の後翼部７が設けられ、吸液性コア６の両側縁の横方向外方に縦方向に伸ばされる側翼部８が設けられる。側翼部８の上にはそれぞれ、横方向に伸ばされるフック９が設けられる。
この場合、バックシート５は、上層の漏れ防止層５１及び底層の非織物層５２を、表面の一部または全部の結合により組み合わせてなる。また、フック９とバックシート５を張り合わせるときの粘着力は、１８０度の剥離強度が１００〜７００ｇ／ｉｎｃｈの間で、１８０度せんだん応力が１０００ｇ／ｉｎｃｈ以上である。
【００１７】
このようなフック９とバックシート５の組合せにより、使用者が、好きなように、フック９を、非織物層５２の表面に張り合わせて、紙おむつ１００の締め具合を簡単に調整できるようになっている。
【００１８】
この紙おむつ１００は、次のような多くの利点を有する。
（１）非織物層５２はバックシート５の基礎材料として用いられ、経済的であるほか、材料の使用過多を解決でき、省エネ効果が達成される。
（２）非織物層５２それ自体の材料強度の強化は、漏れ防止層５１を結合して行われ、非織物層５２の物理的性質は、ループ［Ｌｏｏｐ］の機能を使わずに、ループ［Ｌｏｏｐ］を代替できるもので、紙おむつを製造するための工場での製造コストが更に削減できる。
（３）漏れ防止層５１と非織物層５２の組合せにより、紙おむつ工場がこの組合せを利用することで、ループ［Ｌｏｏｐ］を紙おむつの上に貼り付けるときに生じる位置ずれ、粘着不可能、位置間違い、または過量な粘着剤の使用などの問題がなくなり、従来発生した紙おむつの不良品がなくなり、よりよい良品率を得ることができる。
（４）漏れ防止層５１と非織物層５２の組合せに、フック９を加えたこの新型紙おむつ１００は、この紙おむつ１００の使用者にとって、使用に当たり、より多くの利便性が与えられる。ループ［Ｌｏｏｐ］として用いられる面積が大幅に向上し、図３に示すように、使用者は、いつでも、好きなように、固定する位置、締め具合を適当に調整することができるので、赤ちゃんの腰回りに心地よく固定することができ、紙おむつ１００の腰回り部をより大きく調整できるようになり、各サイズの紙おむつ１００はいずれも、上、下の異なるサイズとして利用でき、全体的な適合性が高まり、有効に利用できる。
（５）漏れ防止層５１と非織物層５２の組合せにより、材料全体の使用量が削減され、環境保全にもよく、一枚の簡単な紙おむつの製造過程では、製品の製造から包装の完了まで、全部で約１４種類の様々な材料を使用して、製造を行い、材料を重ねてから使用可能な製品になるが、現代の高速製造の中で、このようにたくさんの異種材料を、多くのプロセスを経て組み合わせ、一枚の紙おむつにするのは簡単な仕事ではなく、本考案により、ループ［Ｌｏｏｐ］の役割を代替できるほかに、製造工程を簡単化し、ミスが発生する状況は避けられ、生産能力が向上し、不良品も低減し、材料の使用量も低下して、省エネや環境保全の面でも、従来の紙おむつの場合より更によい。
（６）漏れ防止層５１と非織物層５２の結合により、強度が更に高まり、代替されたループ［Ｌｏｏｐ］の場合に相当するようになり、紙おむつ製造業者は、材料使用量を削減可能で、加工しやすくなるほか、更に、使用者が何も不便さや不具合などもなく使用できるので、本考案の改良により、より使用者の使用習慣に適合できるのである。
（７）漏れ防止層５１と非織物層５２の結合により、高単価の紙おむつ材料５１の使用量を更に減少でき、コスト削減の効果がある。
（８）漏れ防止層５１と非織物層５２の結合は、全部の結合または一部の結合によって行われるので、一部の結合は外部加工により、両者を決まった箇所または必要とされる局所の強度を強め、それにより、従来の紙おむつのループ［Ｌｏｏｐ］における小さなエリアの部位、または紙おむつ１００全体のエリアに、予定外の強度を高めることになり、このような強度向上は、ループ［Ｌｏｏｐ］付きの場合の強度に相当するように行われるもので、このような外部加工に関わるエリアと形状は、既定の模様形式やエリアに限られないものとする。
【００１９】
また、この紙おむつ１００は、バックシート５の表面が、起毛面、布面、粗面のいずれかの一つからなる。
このバックシート５の表面変化により、この紙おむつ１００はより多様化し、異なる手触り、形式が生じ、フック９との接着性も高められる。
【００２０】
非織物層５２の表面を粗面とする場合、例えば、熱圧成形による強度向上、スプレー用ホットメルト接着剤または化学薬剤を表面にスプレーして、粗さを生じさせるなどいずれかの方法により成形されるが、このような方法により、非織物層５２の表面に粗面を生じさせるので、製造が簡単で、コストも比較的安い。
【００２１】
非織物層５２の表面には複数の立体模様５２１が設けられる。
この場合、立体模様５２１は、連続的でかつ規則的に、非織物層５２の表面に設けられる。
また、この場合、立体模様５２１は、非連続的でかつ不規則に、非織物層５２の表面に設けられてもよい。
また、立体模様５２１は花模様５３、ドット柄、格子、規則的な縞模様のいずれか一つからなる。
【００２２】
紙おむつ１００を赤ちゃんに着せるとき、紙おむつ１００の最外層、すなわち、バックシート５の非織物層５２は立体模様５１２が設けられ、凹模様や凸模様もあるため、バックシート５の表面には、一般の織物のように凹凸入り模様が設けられ、製品の質感が高まると同時に、親がこれを着ている赤ちゃんを抱上げると、心地よい肌触りに触れ、直接に非織物層（５２）の立体模様（５２１）の有する柔軟性、綿のような柔らかい肌触りが感じられる。
この立体模様５２１の付け加えにより、上述したように柔らかい肌触り効果がアップし、非織物層５２の強度も高まり、漏れ防止層５１との間の保持力［Ｈｏｌｄｉｎｇ  Ｐｏｗｅｒ］はその付け加えにより、見た目のよさが向上するほかに、この工程により、非織物層５２とフック９の接着性、再使用率が高められる。
【００２３】
また、漏れ防止層５１および／または非織物層５２の表面には、模様５４、対象エリア内模様５５のいずれかまたはその組合せからなるものが設けられる。
【００２４】
このようなフック９とバックシート５の組合せは使用上、従来の紙おむつに比べると、かなり使いやすくなるが、従来の紙おむつは長く使われてきたので、使用者に使用上の利便さを与え、一般的な使用者の使用習慣に合わせるために、その表面にカラーの模様（５４）、商標式模様５４、またはその他のカラー模様設計の模様５４を加えて、見方のよさを高めるほか、フィルムに対象エリア内模様５５を印刷して、代替されたループ［Ｌｏｏｐ］のエリアを代替して設けることができる。もちろん、ニーズやコストにより、模様５４入りや対象エリア内模様５５入りもそれらを印刷してなくもよい。
対象エリア内模様５５入りは、使用者の使用習慣に合わせて設計されるほか、対象エリア内模様５５入りの印刷なしでも、紙おむつ１００は不良品だと誤解されることが避けられる。
【００２５】
漏れ防止層５１と非織物層５２は、弾力性のある材料で作られ、漏れ防止層５１と非織物層５２の弾力係数は異なるものである。
【００２６】
漏れ防止層５１と非織物層５２の応用により、赤ちゃんが紙おむつ１００を着ているときの不快感を減少させ、赤ちゃんの体に合わせて設けられ、赤ちゃんがより動けるようになる。
【００２７】
漏れ防止層５１は、通気性材料の漏れ防止層、非通気性材料の漏れ防止層のいずれかからなる。
【００２８】
漏れ防止層５１は、ポリプロピレン（ＰＰ／Ｐｏｌｙｐｒｏｐｙｌｅｎｅ）からなる漏れ防止層、ポリエチレン（ＰＥ／Ｐｏｌｙｅｔｈｙｌｅｎｅ）からなる漏れ防止層、ポリウレタン（ＰＵ／Ｐｏｌｙｕｒｅｔｈａｎｅ）からなる漏れ防止層、重合体之プラスチック複合材料からなる漏れ防止層のいずれかにより成形される。
【００２９】
漏れ防止層５１の使用は、紙おむつ１００の特性によるものであり、材料の応用は、一般的によく知られている技術手段で、ここでそれ以上詳しく述べないことにする。
【００３０】
以上の内容をまとめると、本考案では、漏れ防止層５１と非織物層５２の組合せに、フック９を加えたことにより、従来の紙おむつに比べると、コストや不良率が更に低減され、省エネにもなり、使用者には使用上の利便性を与え、製造業者には、更に応用性、実用性、効果性と産業利用上の可能性があるものである。
【００３１】
以上は、本考案の好適な実施例であるが、これらの図面を以って本考案の実用新案登録請求の範囲が制限されるものではなく、本考案の要旨に基づいて、その改造、変化などを行ったものは、すべて本考案の実用新案登録の範囲に含まれるものである。
【符号の説明】
【００３２】
１  前腰回域
２  後腰回域
３  股下域
４  表面シート
５  バックシート
５１  漏れ防止層
５２  非織物層
５２１  立体模様
５３  花模様
５４  模様
５５  対象エリア内模様
６  吸液性コア
７  後翼部
８  側翼部
９  フック
１００  紙おむつ
【図１】
0003171831.tif 000003
【図２】
0003171831.tif 000004
【図３】
0003171831.tif 000005